(57)【特許請求の範囲】
【請求項１】
建物の壁開口に設けるドア枠材であって、
表面の所定位置には蝶番固定用穴が穿設されており、幅方向両側端部に長手方向に延在するケーシング枠嵌入条溝が形成されている横断面形状がＩ形の蝶番固定用部材と、
表面の長手方向および幅方向における中央部にはラッチ受固定用穴が穿設されており、幅方向両側端部には長手方向に延在するケーシング枠嵌入条溝が形成されている横断面形状がＩ形のラッチ受固定用部材と、
表面の一側部には戸当り部材固定用の段部が形成されるとともに長手方向に延在する他の２部材のケーシング枠嵌入条溝に嵌合する凸条が形成され、他側端には長手方向に延在するケーシング枠嵌入条溝が形成されている共通部材とからなる左右兼用ドア枠材。
【発明の詳細な説明】
【０００１】
【発明の属する技術分野】
本発明は、建物の壁開口に設けるドア枠材であって、左吊元および右吊元の何れにも共用できるドア用縦枠の構造に関する。
【０００２】
【従来の技術】
従来、たとえば右吊元ドアにおける縦枠材の断面形状は、図３における如くであり、左吊元の場合、図３に示す断面形状とは逆勝手になる。
【０００３】
図３および図４に示すように、縦枠１０１には、蝶番固定用穴１０３が２箇所設けられるとともに戸当り溝１０７、ケーシング枠嵌入溝１１２が長手方向に延在する如く穿設されている。他方の縦枠１０１にはラッチ受用穴１０５が１箇所設けられるとともに、戸当り溝１０７、ケーシング枠嵌入溝１１２が長手方向に延在する如く穿設されている。図３において、１１１は蝶番である。
【０００４】
上記の如く、左吊元と右吊元とでは勝手違いになるから、それぞれの縦枠を都合４種類在庫しておく必要がある処から、在庫量削減の隘路の１つとなっていた。
【０００５】
【発明が解決しようとする課題】
本発明は、左吊元および右吊元何れにも適用可能なドア枠材を提供することを目的とする。
【０００６】
【課題を解決するための手段】
本発明における課題は、建物の壁開口に設けるドア枠材であって、表面の所定位置には蝶番固定用穴が穿設されており、幅方向両側端部に長手方向に延在するケーシング枠嵌入条溝が形成されている横断面形状がＩ形の蝶番固定用部材と、表面の長手方向および幅方向における中央部にはラッチ受固定用穴が穿設されており、幅方向両側端部には長手方向に延在するケーシング枠嵌入条溝が形成されている横断面形状がＩ形のラッチ受固定用部材と、表面の一側部には戸当り部材固定用の段部が形成されるとともに長手方向に延在する他の２部材のケーシング枠嵌入条溝に嵌合する凸条が形成され、他側端には長手方向に延在するケーシング枠嵌入条溝が形成されている共通部材とからなる前記左右兼用ドア枠材によって解決される。
【０００７】
【発明の実施の形態】
以下、本発明を、添付図面を参照しながら、その好ましい一実施形態に基づいて詳細に説明する。
【０００８】
図１（ａ）は、縦枠を、蝶番固定用部材２と共通部材１とに分割したときの模様を示す正面図である。図１（ｂ）は、縦枠を、ラッチ受固定用部材４と共通部材１とに分割したときの模様を示す正面図である。図１（ａ）および図１（ｂ）において、３は蝶番固定用穴、５はラッチ受固定用穴である。これらの分割状態を、図２（ａ）および図２（ｂ）に横断面図として示す。
【０００９】
図２（ａ）に示すように、蝶番固定用穴を有する縦枠は、共通部材１と蝶番固定用部材２とに分割されている。蝶番固定用部材２は、その幅方向（ドアの厚さ方向）中心を対称線として幅方向中央に蝶番固定用穴３が、この実施例では図１（ａ）に示すように、長手方向において２箇所穿設されている。
【００１０】
また、蝶番固定用部材２の両側面には、ケーシング枠（額縁）嵌入条溝１２が、長さ方向に延在する如く穿設されている。ケーシング枠嵌入条溝１２を両側面に穿設したのは、左吊元と右吊元何れの場合にもケーシング枠を嵌入することができるようにするためである。
【００１１】
なお、蝶番固定用部材２の一側面、図２（ａ）でみて右側面は、共通部材１の一側面、図２（ａ）でみて左側面を当接させ接合したときに、戸当り嵌入溝７の一側壁面を形成する。
【００１２】
共通部材１には、図２（ａ）でみて左側上部に、長手方向に延在する戸当り嵌入溝７用の段部が形成されている。また、右側面には、ケーシング枠嵌入条溝１２が、長さ方向に延在する如く穿設されている。
【００１３】
而して、蝶番固定用部材２の、図２（ａ）でみて右側面と共通部材１の左側面を当接させて、接着剤或は釘若しくは木ねじで接合させると、蝶番固定用穴３、戸当り嵌入溝７およびケーシング枠嵌入溝１２を有する縦枠ができ上がる。
【００１４】
蝶番固定用部材２は、幅方向中央部に対称的に蝶番固定用穴３が穿設され、ケーシング枠嵌入条溝１２が両側面に穿設され対称的な略Ｉ形の断面形状とされているから、左吊元用および右吊元用何れにも用いることができる。
【００１５】
共通部材１は、天地反転させれば左吊元および右吊元何れにも使用することができる。また、後述するラッチ受固定用部材４と接合させる場合にも、左吊元および右吊元何れにも適用できるから、扉枠として１種類の共通部材１があればよい。
【００１６】
図２（ｂ）に示すように、ラッチ受固定用穴を有する縦枠は、共通部材１とラッチ受固定用部材４とに分割されている。ラッチ受固定用部材４は、その幅方向（ドアの厚さ方向）中心を対称線として、幅方向中央にラッチ受固定用穴５が、この実施例では図１（ｂ）に示すように１箇所穿設されている。
【００１７】
また、左側面にはケーシング枠（額縁）嵌入条溝１２が長手方向に延在する如く穿設されている。ケーシング枠嵌入条溝１２を両側面に穿設したのは、左吊元と右吊元何れの場合にもケーシング枠を嵌入することができるようにするためである。
【００１８】
ラッチ受固定用部材４は、幅方向中央部に対称的にラッチ受固定用穴５が穿設され、ケーシング枠嵌入溝１２が両側面に穿設され対称的な略Ｉ形の断面形状とされているから、左吊元用および右吊元用何れにも用いることができる。
【００１９】
なお、ラッチ受固定用部材４の一側面、図２（ｂ）でみて左側面は、共通部材１の一側面、図２（ｂ）でみて右側面を当接させたときに、戸当り嵌入溝７の一側壁面を形成する。
【００２０】
共通部材１には、図２（ｂ）でみて右側上部に、戸当り嵌入溝７用の段部が形成されている。また、左側面には、ケーシング枠嵌入条溝１２が長手方向に延在する如く穿設されている。また、共通部材には、ケーシング枠嵌入条溝とは反対側端部に、図２（ａ）、（ｂ）に示すように、蝶番固定用部材およびラッチ受固定用部材におけるケーシング枠嵌入条溝に嵌入する凸条１３を形成してもよい。
【００２１】
而して、ラッチ受固定用部材４の、図２（ｂ）でみて左側面と共通部材１の右側面を当接させて、接着剤或は釘若しくは木ねじで接合させると、ラッチ受固定用穴５、戸当り嵌入溝７およびケーシング枠嵌入溝１２を有する縦枠ができ上がる。
【００２２】
ラッチ受を、たとえば左吊元から右吊元へ変更して固定するときは、天地反転させて取付ける。
【００２３】
【発明の効果】
本発明は以上述べたように構成したから、蝶番固定用穴を有する縦枠、ラッチ受固定用穴を有する縦枠各々について、左吊元および右吊元何れの場合も１種類の共通部材で済み、部材の在庫量を２５％削減できる。
【００２４】
また、左吊元と右吊元の施工間違いがあった場合でも、変更が簡単にできる。さらに、建築後住んでみて、左吊元と右吊元を変更したい場合も、従来技術に比し簡単に変更できる。
【図面の簡単な説明】
【図１】（ａ）は、縦枠を蝶番固定用部材２と共通部材１とに分割したときの模様を示す正面図である。（ｂ）は、縦枠をラッチ受固定用部材４と共通部材１とに分割したときの模様を示す正面図である。
【図２】（ａ）は、図１（ａ）のＡ−Ａ矢視図である。（ｂ）は、図１（ｂ）のＢ−Ｂ矢視図である。
【図３】は、従来技術における建物の壁開口に扉枠およびドアを配置したときの模様を示す横断面図である。
【図４】は、図３における縦枠材の概略を示す正面図である。
【符号の説明】
１  共通部材
２  蝶番固定用部材
３  蝶番固定用穴
４  ラッチ受固定用部材
５  ラッチ受固定用穴
７  戸当り嵌入溝
１２  ケーシング枠嵌入条溝
１３  凸条
１０１  縦枠
１０２  ケーシング枠
１０３  蝶番固定用穴
１０４  戸当り
１０５  ラッチ受固定用穴
１０６  ドア
１０７  戸当り嵌入溝
１１１  蝶番
１１２  ケーシング枠嵌入溝
【図１】
0004113284.tif 000002
【図２】
0004113284.tif 000003
【図３】
0004113284.tif 000004
【図４】
0004113284.tif 000005